(57)【要約】  【課題】  しいたけ等の茸の菌床栽培に使用する菌床を収納した菌床収納袋の上部を切断する作業工程を自動化する。  【解決手段】  菌床を収納した収納袋２を搬送するコンベア３４と、コンベア３４の上方に刃４１が保持されて、コンベア３４の搬送方向の上流方向に刃先が向き、刃長手方向が搬送方向と直交する水平方向に配置されて、刃長手方向に刃４１を往復駆動するカッター本体３８と、カッター本体３８をコンベア３４の上方に保持するとともに、刃４１の高さを調節自在に保持するブラケット３６，３７と、刃４１よりもコンベア３４の搬送方向の下流側やや下方に上部受け面４４ａが配設されて、刃４１により切断分離された収納袋上部の切れ端２Ａを案内排出するシューター４４と、刃４１の上方付近に配設されて収納袋２の上端部を挟圧し、送り出す１対のピンチローラ４７，４８を備える。【選択図】  図３
0003141523.tif 000002
【実用新案登録請求の範囲】
【請求項１】
菌床を収納して上端がシールされた収納袋を搬送するコンベアと、
該コンベアの上方に刃部が保持されて、前記コンベアの搬送方向の上流方向に刃先が向き刃長手方向が前記搬送方向と直交あるいは下流側に４５度までの範囲で角度をつけて水平方向に配置されて刃長手方向に前記刃部を往復駆動するカッターと、
該カッターを前記コンベアの上方に保持するとともに、前記コンベアの搬送レベルからの前記刃の高さを調節自在に保持するカッター高さ調節機構と、
を備えたことを特徴とする菌床収納袋の切断装置。
【請求項２】
請求項１に記載の菌床収納袋の切断装置おいて、
前記カッターの刃部よりも前記コンベアの搬送方向の下流側やや下方に上部受け面が配設されて、前記カッターの刃部により切断分離された収納袋上部切れ端を前記コンベアの側方へ案内排出するシューターを備えたことを特徴とする菌床収納袋の切断装置。
【請求項３】
請求項１または２に記載の菌床収納袋の切断装置おいて、
前記コンベアを駆動する動力源と、
前記カッターの刃部の上方付近に配設されて、前記コンベア上を搬送されてきた前記収納袋上端部を挟圧し、前記コンベアの搬送速度と略同一速度で前記収納袋上端部を送り出す１対のピンチローラと、
を備えたことを特徴とする菌床収納袋の切断装置。
【請求項４】
請求項１乃至３のいずれかに記載の菌床収納袋の切断装置おいて、
前記コンベア上であって、前記カッターの刃部よりも前記コンベアの搬送方向の上流側の両側に設置されて、前記コンベアの上流位置に載置されて搬送されてきた菌床収納袋を前記コンベアの幅方向中心に案内するセンタ寄せガイドを備えたことを特徴とする菌床収納袋の切断装置。
【考案の詳細な説明】
【技術分野】
【０００１】
本考案は、菌床収納袋の切断装置に関し、詳しくはしいたけ等の茸の菌床栽培に使用する菌床を収納した菌床収納袋の上部を切断する際に使用する菌床収納袋の切断装置に関する。
【背景技術】
【０００２】
本出願人は、しいたけ菌床栽培技術として、特許文献１に記載の「しいたけ菌床の発生方法」を提案している。これは、菌床を損傷させることなく、優良品質のきのこを菌床の上面から継続的に発生させるしいたけ菌床の発生方法を提供することを目的とし、しいたけ菌床栽培の培養完了後の発生工程において、栽培容器の上部を取除いて菌床上面を露出させ、その他の部分は菌床側面及び底面部分との間に若干の隙間を保持させて栽培容器として残し、その隙間に注水することで菌床側面及び底面からのきのこの発生を抑制し、菌床上面から発生させることを特徴とするしいたけ菌床の発生方法である。
【０００３】
上述した「しいたけ菌床の発生方法」では、「栽培容器」として、コストの面からブロック形状をした菌床をポリ袋からなる収納袋に収納しておくことが好ましい。ここで使用するポリ袋とは、ポリエチレン、ポリプロピレン等の樹脂フィルムからなるポリ袋である。図４は、ポリ袋からなる収納袋に菌床を収納した状態を示している。図において、１がブロック形状をした菌床であり、ポリ袋からなる収納袋２内に収納されている。収納袋２の上端はシールされている。収納袋２の上部片面には通気フィルタ３が配設されている。しいたけの発生の開始に先立ち、この収納袋２の上部を破線の位置で切断して菌床１を開放し、発生工程へ移行する。
【０００４】
【特許文献１】特許第３０８７１７１号公報
【考案の開示】
【考案が解決しようとする課題】
【０００５】
しかしながら、上述した「しいたけ菌床の発生方法」では、収納袋２の切断作業が、鋏やカッターナイフを用いた手作業によりなされており、作業能率がよくなかった。また、切断位置を目検討で決めると切断位置がばらつくことになり、好ましいものではなかった。
そこで、本考案は、菌床収納袋の切断作業を自動化することにより、作業能率を向上するとともに切断位置の精度を向上することのできる菌床収納袋の切断装置を提案することを目的とした。
【課題を解決するための手段】
【０００６】
上記課題を解決するために、本考案は、菌床を収納して上端がシールされた収納袋を搬送するコンベアと、該コンベアの上方に刃部が保持されて、前記コンベアの搬送方向の上流方向に刃先が向き刃長手方向が前記搬送方向と直交あるいは下流側に４５度までの範囲で角度をつけて水平方向に配置されて刃長手方向に前記刃部を往復駆動するカッターと、該カッターを前記コンベアの上方に保持するとともに、前記コンベアの搬送レベルからの前記刃の高さを調節自在に保持するカッター高さ調節機構とを備えたことを特徴とする。
また、前記菌床収納袋の切断装置において、前記カッターの刃部よりも前記コンベアの搬送方向の下流側やや下方に上部受け面が配設されて、前記カッターの刃部により切断分離された収納袋上部切れ端を前記コンベアの側方へ案内排出するシューターを備えたことを特徴とする。
また、前記菌床収納袋の切断装置において、前記コンベアを駆動する動力源と、前記カッターの刃部の上方付近に配設されて、前記コンベア上を搬送されてきた前記収納袋上端部を挟圧し、前記コンベアの搬送速度と略同一速度で前記収納袋上端部を送り出す１対のピンチローラとを備えたことを特徴とする。
また、前記菌床収納袋の切断装置において、前記コンベア上であって、前記カッターの刃部よりも前記コンベアの搬送方向の上流側の両側に設置されて、前記コンベアの上流位置に載置されて搬送されてきた菌床収納袋を前記コンベアの幅方向中心に案内するセンタ寄せガイドを備えたことを特徴とする。
【考案の効果】
【０００７】
以上述べた本考案の菌床収納袋の切断装置によれば、菌床収納袋の切断作業が自動化されて、茸栽培の省力化が可能となる。また、菌床収納袋の切断位置が一定となり、その後の茸培養における品質のばらつきを解消することが可能となる。
【考案を実施するための最良の形態】
【０００８】
以下、図に基づいて本考案の実施形態を説明する。
図１は本考案に係る菌床収納袋の切断装置の第１の実施形態を示す斜視図である。図において、４はコンベアであり、架台５の上に支持されている。コンベア４には、菌床を収納した収納袋２が、右奥の端から搬入され、左手前側へ搬送される。コンベア４の側方であって右手前に位置する架台５の上面には、カッター高さ調節機構であるところの１対のブラケット６，７が対向して螺着されている。ブラケット６，７の間には、カッター本体８が挟持され、その高さは、ブラケット６，７側から螺合されているボルト９により、調節可能である。
【０００９】
カッター本体８の左側のコンベア４側には、刃１１が突設されている。刃１１は、その刃先がコンベア４の搬送方向の上流方向に向き、刃長手方向がコンベア４の搬送方向と直交する水平方向に配置されている。カッター本体８内にはモータおよびモータの回転を往復運動に変換する変換機構が内蔵されており、その変換機構の出力端に刃１１の基端部が支持されていて、刃１１がコンベア４の幅方向に往復駆動される。これらカッター本体８と刃１１により、カッターが構成される。
【００１０】
次に、上述した第１の実施形態の動作について説明する。カッターに電源を供給して、刃１１を往復駆動させた状態で、図面右奥のコンベア４の端へ、菌床を収納した収納袋２を載置して、右奥の端から左手前側へ搬送させる。このとき、収納袋２の上端のシール部分の方向がコンベア４の搬送方向と平行となるようにする。収納袋２は、図面の矢印方向に搬送されていき、コンベア４の幅方向に往復駆動されている刃１１に当接すると、収納袋２の上部の切断が開始され、刃１１部分を通過するとともに、収納袋２の上端が切断分離される。なお、切断の際は、作業者が収納袋２の上端を摘んだ状態で、刃１１を通過させると、より確実に切断することができる。
【００１１】
次に、上部が切断されて開口された収納袋２は、そのまま搬送され、図面左手前のコンベア４端部に到達するまでに、コンベア４から人力により搬出してもよいし、さらには、コンベア４に他のコンベアを接続し、そのコンベアにおいて散水処理を施すことも可能である。なお、収納袋２の切断位置は、ブラケット６，７側から螺合されているボルト９を緩めて、カッター本体８を上下方向に移動させることにより、調節することが可能である。
【００１２】
次に、本考案に係る菌床収納袋の切断装置の第２の実施形態について説明する。図２は第２の実施形態を示す斜視図である。図において、１４はコンベアであり、架台１５に支持されているモータ１２によりベルト１３を介して駆動される。コンベア１４には、菌床を収納した収納袋２が、右奥の端から搬入され、左手前側へ搬送される。コンベア１４の側方であって右手前に位置する架台１５の上面には、カッター高さ調節機構であるところの１対のブラケット１６，１７が対向して螺着されている。ブラケット１６，１７の間には、カッター本体１８が挟持され、その高さは、ブラケット１６，１７側から螺合されているボルト１９により、調節可能である。
【００１３】
カッター本体１８の左側のコンベア１４側には、刃２１が突設されている。刃２１は、その刃先がコンベア１４の搬送方向の上流方向に向き、刃長手方向がコンベア１４の搬送方向と直交する水平方向に配置されている。カッター本体１８内にはモータおよびモータの回転を往復運動に変換する変換機構が内蔵されており、その変換機構の出力端に刃２１の基端部が支持されていて、刃２１がコンベア１４の幅方向に往復駆動される。これらカッター本体１８と刃２１により、カッターが構成される。
【００１４】
コンベア１４の上流側の端部には、くの字に折曲された１対のセンタ寄せガイド２２，２３が幅方向に対向して配設されている。センタ寄せガイド２２，２３は、コンベア１４の上流側から搬入された収納袋２を、その進行に合わせて、幅方向の中心位置に寄せる働きをする。
【００１５】
また、カッターの刃２１よりもコンベア１４の搬送方向の下流側やや下方から、架台１５の右手前にかけてシューター２４が配設されている。シューター２４の上端部が、収納袋２の上部の切れ端２Ａを受けとる受け面２４ａとなり、受け面２４ａは手前側が低くなるように傾斜し、途中からさらに急な傾斜面２４ｂとなって、その末端が受け箱２５の上方に位置している。シューター２４は、取り付け金具２６により、カッター本体１８に支持されている。すなわち、カッター本体１８の高さを調節する際に、シューター２４も同時に高さが調節される。
【００１６】
次に、上述した第２の実施形態の動作について説明する。カッターに電源を供給して、刃２１を往復駆動させるとともに、モータ１２に電源を供給して、コンベア１４を駆動させる。この状態で、図面右奥のコンベア１４の端へ、菌床を収納した収納袋２を載置して、右奥の端から左手前側へ搬送させる。このとき、収納袋２の上端のシール部分の方向がコンベア１４の搬送方向と平行となるようにする。収納袋２はコンベア１４に搬送されながら、センタ寄せガイド２２，２３によって、コンベア１４の幅方向の中心位置に寄せられる。
【００１７】
次いで、収納袋２は、図面の矢印方向に搬送されていき、コンベア１４の幅方向に往復駆動されている刃２１に当接すると、収納袋２の上部の切断が開始され、刃２１部分を通過するとともに、収納袋２の上端が切断分離される。なお、切断の際は、作業者が収納袋２の上端を摘んだ状態で、刃２１を通過させるとより確実に切断することができる。切断分離された収納袋２の上部の切れ端２Ａは、シューター２４の受け面２４ａに落下してから滑落し、傾斜面２４ｂを通過して受け箱２５内に落下する。
【００１８】
次に、上部が切断されて開口された収納袋２は、そのまま搬送され、図面左手前のコンベア１４端部に到達するまでに、コンベア１４から人力により搬出してもよいし、さらには、コンベア１４に他のコンベアを接続し、そのコンベアにおいて散水処理を施すことも可能である。なお、収納袋２の切断位置は、ブラケット１６，１７側から螺合されているボルト１９を緩めて、カッター本体１８を上下方向に移動させることにより、調節することが可能である。
【００１９】
第２の実施形態では、第１の実施形態に比較し、コンベア１４を電動式にするとともに、コンベア１４の搬入部にセンタ寄せガイド２２，２３を設置し、さらに、収納袋２の上部の切れ端２Ａを排出するシューター２４を設置したことで、収納袋２を搬入してから切断して排出するまでを自動化することができる。
【００２０】
次に、本考案に係る菌床収納袋の切断装置の第３の実施形態について説明する。図３は第３の実施形態を示す斜視図である。図において、３４はコンベアであり、架台３５に支持されているモータ３２によりベルト３３を介して駆動される。コンベア３４には、菌床を収納した収納袋２が、右奥の端から搬入され、左手前側へ搬送される。コンベア３４の側方であって右手前に位置する架台３５の上面には、カッター高さ調節機構であるところの１対のブラケット３６，３７が対向して螺着されている。ブラケット３６，３７の間には、カッター本体３８が挟持され、その高さは、ブラケット３６，３７側から螺合されているボルト３９により、調節可能である。
【００２１】
カッター本体３８の左側のコンベア３４側には、刃４１が突設されている。刃４１は、その刃先がコンベア３４の搬送方向の上流方向に向き、刃長手方向がコンベア３４の搬送方向と直交する水平方向に配置されている。カッター本体３８内にはモータおよびモータの回転を往復運動に変換する変換機構が内蔵されており、その変換機構の出力端に刃４１の基端部が支持されていて、刃４１がコンベア３４の幅方向に往復駆動される。これらカッター本体３８と刃４１により、カッターが構成される。
【００２２】
コンベア３４の上流側の端部には、くの字に折曲された１対のセンタ寄せガイド４２，４３が幅方向に対向して配設されている。センタ寄せガイド４２，４３は、コンベア３４の上流側から搬入された収納袋２を、その進行に合わせて、幅方向の中心位置に寄せる働きをする。
【００２３】
また、カッターの刃４１よりもコンベア３４の搬送方向の下流側やや下方から、架台３５の右手前にかけてシューター４４が配設されている。シューター４４の上端部が、収納袋２の上部の切れ端２Ａを受けとる受け面４４ａとなり、受け面４４ａは手前側が低くなるように傾斜し、途中からさらに急な傾斜面４４ｂとなって、その末端が受け箱４５の上方に位置している。シューター４４は、取り付け金具４６により、カッター本体３８に支持されている。すなわち、カッター本体３８の高さを調節する際に、シューター４４も同時に高さが調節される。
【００２４】
また、カッターの刃４１の刃先の上方、またはカッターの刃４１よりもコンベア３４の搬送方向のやや上流側の上方に、挟圧面を垂直かつ搬送方向と平行にした１対のピンチローラ４７，４８が配設されている。ピンチローラ４７，４８の回転軸は、ピンチローラ駆動部４９より垂設されている。ピンチローラ駆動部４９内にはモータおよびモータの回転を減速する減速機構が内蔵されており、その減速機構の出力端にピンチローラ４７，４８の回転軸が接続されていて、ピンチローラ４７，４８間に進入してきた収納袋２の上端部を挟圧して、搬送方向下流側へ送り出す。このときの送り速度は、コンベア３４の搬送速度と略同一である。ピンチローラ駆動部４９はステイ５０により、取り付け金具４６に支持されている。すなわち、カッター本体３８の高さを調節する際に、ピンチローラ４７，４８とシューター４４は、同時に高さが調節される。
【００２５】
次に、上述した第３の実施形態の動作について説明する。カッターに電源を供給して、刃４１を往復駆動させ、モータ３２に電源を供給してコンベア３４を駆動させ、さらに、ピンチローラ駆動部４９に電源を供給してピンチローラ４７，４８を駆動させる。この状態で、図面右奥のコンベア３４の端へ、菌床を収納した収納袋２を載置して、右奥の端から左手前側へ搬送させる。このとき、収納袋２の上端のシール部分の方向がコンベア３４の搬送方向と平行となるようにする。収納袋２はコンベア３４に搬送されながら、センタ寄せガイド４２，４３によって、コンベア３４の幅方向の中心位置に寄せられる。
【００２６】
次いで、収納袋２は、図面の矢印方向に搬送されていき、刃４１の手前で、収納袋２の上端部が、ピンチローラ４７，４８間に進入し、挟圧されて、搬送方向下流側へ送り出される。このとき、同時に、収納袋２の上部が、コンベア３４の幅方向に往復駆動されている刃４１に当接して、収納袋２の上部の切断が開始され、刃４１部分を通過するとともに、収納袋２の上端が切断分離される。切断分離された収納袋２の上部の切れ端２Ａは、ピンチローラ４７，４８から送り出された後、シューター４４の受け面４４ａに落下してから滑落し、傾斜面４４ｂを通過して受け箱４５内に落下する。
【００２７】
次に、上部が切断されて開口された収納袋２は、そのまま搬送され、図面左手前のコンベア３４端部に到達するまでに、コンベア３４から人力により搬出してもよいし、さらには、コンベア３４に他のコンベアを接続し、そのコンベアにおいて散水処理を施すことも可能である。なお、収納袋２の切断位置は、ブラケット３６，３７側から螺合されているボルト３９を緩めて、カッター本体３８を上下方向に移動させることにより、調節することが可能である。
【００２８】
第３の実施形態では、第１の実施形態に比較し、コンベア３４を電動式にし、コンベア３４の搬入部にセンタ寄せガイド４２，４３を設置し、刃４１の手前にピンチローラ４７，４８を設置し、さらに、収納袋２の上部の切れ端２Ａを排出するシューター４４を設置したことで、収納袋２を搬入してから切断して排出するまでを完全自動化することができる。特に、収納袋２の上部の切断の際、作業者が収納袋２の上端を摘む必要がないため、安全性が向上する。
【００２９】
なお、上述した各実施形態におけるカッターは、コンベアの搬送方向の上流方向に刃先が向き刃長手方向を搬送方向と直交させているが、刃長手方向を下流側に４５度までの範囲で角度をつけて水平方向に配置させても、同様に、切断可能である。
上述した各実施形態におけるカッターはモータ駆動であるが、動力源として、モータ以外に、ソレノイド、エアシリンダを用いることが可能である。
また、上述した各実施形態におけるコンベアはローラコンベアを用いているが、ベルココンベアにすることも可能である。
なお、菌床を収納した収納袋２は、ポリエチレン、ポリプロピレン等の樹脂フィルムからなるポリ袋であり、フィルム厚さは０．０５ｍｍである。
【産業上の利用可能性】
【００３０】
本考案は、茸の菌床栽培に使用する菌床を収納した菌床収納袋の上部を切断する際に使用する以外に、ポリ袋包装の一般商品の開封作業にも利用可能である。
【図面の簡単な説明】
【００３１】
【図１】本考案に係る菌床収納袋の切断装置の第１の実施形態を示す斜視図である。
【図２】本考案に係る菌床収納袋の切断装置の第２の実施形態を示す斜視図である。
【図３】本考案に係る菌床収納袋の切断装置の第３の実施形態を示す斜視図である。
【図４】菌床収納袋の内部構造を示す縦断面図である。
【符号の説明】
【００３２】
２  収納袋
２Ａ  切れ端
４  コンベア
５  架台
６，７ブラケット
８  カッター本体
９  ボルト
１１  刃
１２  モータ
１３  ベルト
１４  コンベア
１５  架台
１６，１７  ブラケット
１８  カッター本体
１９  ボルト
２１  刃
２２，２３  センタ寄せガイド
２４  シューター
２４ａ  受け面
２４ｂ  傾斜面
２５  受け箱
２６  取り付け金具
３２  モータ
３３  ベルト
３４  コンベア
３５  架台
３６，３７  ブラケット
３８  カッター本体
３９  ボルト
４１  刃
４２，４３  センタ寄せガイド
４４  シューター
４４ａ  受け面
４４ｂ  傾斜面
４５  受け箱
４６  取り付け金具
４７，４８  ピンチローラ
４９  ピンチローラ駆動部
５０  ステイ
【図１】
0003141523.tif 000003
【図２】
0003141523.tif 000004
【図３】
0003141523.tif 000005
【図４】
0003141523.tif 000006